(57)【要約】【課題】格子装置のデザイン性を良好にできるデザイン部材を提供する。【解決手段】デザイン部材３は、格子２の縦長手状部材６にこの縦長手状部材６に沿ってスライド調節可能に取り付ける取付部11を備える。取付部11には、板状のデザイン部を一体に設ける。取付部11には、格子２の縦長手状部材６に取り付ける際に取付部11を弾性変形させるための手掛け部21を一体に設ける。取付部11は、格子２の縦長手状部材６の溝部10にこの溝部10に沿ってスライド調節可能に嵌合する凸部分18を有する。【選択図】図１
2008025170.tif 000002
【特許請求の範囲】
【請求項１】
格子にこの格子に沿って移動調節可能に取り付けられる取付部と、
この取付部に設けられたデザイン部と
を備えることを特徴とするデザイン部材。
【請求項２】
取付部は、格子に脱着可能に取り付けられる
ことを特徴とする請求項１記載のデザイン部材。
【請求項３】
取付部は、格子の長手状部材の被係合部にこの被係合部に沿って移動調節可能に係合される係合部分を有する
ことを特徴とする請求項１または２記載のデザイン部材。
【請求項４】
取付部を格子に取り付ける際に前記取付部を弾性変形させるための手掛け部を備える
ことを特徴とする請求項１ないし３のいずれか一記載のデザイン部材。
【請求項５】
格子と、
この格子にそれぞれ設けられた請求項１ないし４のいずれか一記載の複数のデザイン部材と
を具備することを特徴とする格子装置。
【発明の詳細な説明】
【技術分野】
【０００１】
本発明は、格子装置のデザイン性を良好にできるデザイン部材およびデザイン性が良好な格子装置に関するものである。
【背景技術】
【０００２】
例えばベランダ、バルコニー、外部階段、外部廊下等に用いられる格子装置として、例えば水平方向長手状の上下一対の横長手状部材と、これら上下一対の横長手状部材間に互いに間隔をおいて並設された上下方向長手状の複数本の縦長手状部材とを備えた手摺格子装置が知られている（例えば、特許文献１参照）。
【特許文献１】特開２００４−３１６２３６号公報（図１）
【発明の開示】
【発明が解決しようとする課題】
【０００３】
しかしながら、このような格子装置は、シンプルすぎてデザイン性に乏しいため、個性化の時代といわれる近年において、格子装置のデザイン性を良好にできるデザイン部材が求められていた。
【０００４】
本発明は、このような点に鑑みなされたもので、格子装置のデザイン性を良好にできるデザイン部材およびデザイン性が良好な格子装置を提供することを目的とする。
【課題を解決するための手段】
【０００５】
請求項１記載のデザイン部材は、格子にこの格子に沿って移動調節可能に取り付けられる取付部と、この取付部に設けられたデザイン部とを備えるものである。
【０００６】
請求項２記載のデザイン部材は、請求項１記載のデザイン部材において、取付部は、格子に脱着可能に取り付けられるものである。
【０００７】
請求項３記載のデザイン部材は、請求項１または２記載のデザイン部材において、取付部は、格子の長手状部材の被係合部にこの被係合部に沿って移動調節可能に係合される係合部分を有するものである。
【０００８】
請求項４記載のデザイン部材は、請求項１ないし３のいずれか一記載のデザイン部材において、取付部を格子に取り付ける際に前記取付部を弾性変形させるための手掛け部を備えるものである。
【０００９】
請求項５記載の格子装置は、格子と、この格子にそれぞれ設けられた請求項１ないし４のいずれか一記載の複数のデザイン部材とを具備するものである。
【発明の効果】
【００１０】
請求項１に係る発明によれば、格子装置のデザイン性を良好にでき、しかも、取付部は格子にこの格子に沿って移動調節可能に取り付けられるため、デザインを容易に変更できる。
【００１１】
請求項２に係る発明によれば、取付部は格子に脱着可能に取り付けられるため、デザインをより一層容易に変更できる。
【００１２】
請求項３に係る発明によれば、取付部は格子の長手状部材の被係合部にこの被係合部に沿って移動調節可能に係合される係合部分を有するため、取付部をスムーズに移動調節できる。
【００１３】
請求項４に係る発明によれば、取付部を格子に取り付ける際に取付部を弾性変形させるための手掛け部を備えるため、取付部を格子に容易に取り付けることができる。
【００１４】
請求項５に係る発明によれば、複数のデザイン部材が格子にそれぞれ設けられているため、デザイン性が良好である。
【発明を実施するための最良の形態】
【００１５】
本発明の一実施の形態を図面を参照して説明する。
【００１６】
図４、図５において、１は格子装置で、この格子装置１は、例えばベランダ、バルコニー、外部階段、外部廊下等に用いられる手摺格子装置である。
【００１７】
格子装置１は、例えば図示しない床面部等に垂直状に立設された格子２と、格子２にこの格子２に沿って移動調節可能、すなわち例えば上下方向にスライド調節可能でかつ脱着可能にそれぞれ設けられ所望の配列パターンに並べられた複数のデザイン部材（ブロック部材）３とを具備している。
【００１８】
格子２は、水平方向長手状である左右方向長手状の上下一対の長手状部材である横長手状部材５と、これら上下一対の横長手状部材５間に互いに等間隔をおいて平行に並設された上下方向長手状の複数本の長手状部材である縦長手状部材６とを備えている。上の横長手状部材５が手摺部７となっている。また、縦長手状部材６は、図１に示されるように、断面略矩形の角筒形状に形成されたもので、前後の平面板部８と左右の湾曲板部９とを有している。湾曲板部９の外面側の前後方向中央には、上下方向に延びる被係合部である溝部10が縦長手状部材６の上端から下端にわたって形成されている。
【００１９】
デザイン部材３は、樹脂或いはゴム等の比較的軟質で弾性変形可能な弾性材にて一体に形成されている。そして、デザイン部材３は、図１および図２に示されるように、格子２の縦長手状部材６にこの格子２の縦長手状部材６に沿って移動調節可能、すなわち例えば上下方向にスライド調節可能でかつ脱着可能に取り付けられた取付部11と、この取付部11に一体に設けられた板状のデザイン部12とを備えている。
【００２０】
取付部11は、例えばデザイン部12の後面における左右方向両端近傍から後方に向って突出し互いに離間対向する左右一対の突出板15にて構成されている。
【００２１】
突出板15は、断面略Ｌ字状のもので、デザイン部12の後面から後方に向って突出しこのデザイン部12に対して直交する第１板部16と、この第１板部16の後端から外側方に向って突出しデザイン部12の左右方向端部である一方の挟持部12aとともに縦長手状部材６を前後から挟持する他方の挟持部である第２板部17とを有している。
【００２２】
第１板部16の外面側つまり縦長手状部材６の湾曲板部９と対向する面側における前後方向中央には、上下方向に延びる長手状で断面略半円状に形成され格子２の縦長手状部材６の湾曲板部９の溝部10にこの溝部10に沿って移動調節可能に係合される係合部分である凸部分18が第１板部16の上端から下端にわたって形成されている。凸部分18は、格子２の縦長手状部材６の湾曲板部９の溝部10に対して、第１板部16の弾性復元力に基づいて密着した状態で、この溝部10に沿って長手方向に移動調節可能、すなわち例えば上下方向にスライド調節可能でかつ嵌脱可能に嵌合されている。
【００２３】
また、突出板15の第１板部16の内面における後側には、図３に示すように格子装置１の前方から取付部11の突出板15を格子２の縦長手状部材６に対して隣合う縦長手状部材６間に嵌め込むようにして取り付ける際に、使用者が手で取付部11の突出板15の第１板部16を内側方に向けて弾性変形させるための手掛け部21が一体に設けられている。
【００２４】
手掛け部21は、断面略Ｌ字状のもので、突出板15の第１板部16の内面から内側方に向って突出しこの第１板部16に対して直交する第１板部分22と、この第１板部分22の内端から後方に向って突出する第２板部分23とを有している。手掛け部21の第２板部分23と取付部11の第１板部16との間には手の指先を挿入可能な空間部24が存在する。
【００２５】
一方、デザイン部12は、例えば一辺の長さ寸法が隣合う縦長手状部材６間の間隙寸法より大きい正方形状をなす板状に形成されている。デザイン部12の色は、赤、青、緑等、任意であり、透明であってもよい。また、デザイン部12は、その前面に文字や図形等からなる模様、例えば木目模様や花柄模様等を付けたもの等でもよい。なお、図４および図５に示す格子装置１は、各デザイン部12が同じ色でかつ同じ形状である場合だが、いろんなデザインを実現できるよう、異なる色や形状のものを適宜組み合わせるようにしてもよい。
【００２６】
次に、デザイン部材３の格子２への取付方法について説明する。
【００２７】
格子装置１の前方からデザイン部材３を格子２の縦長手状部材６に取り付ける場合、図３に示すように、一方の手の指を手掛け部21に掛けて、互いに離間対向する突出板15をこれら突出板15同士が互いに接近するように弾性変形させる。
【００２８】
そして、一方の手の指で取付部11の両突出板15を弾性変形させたまま、他方の手でデザイン部材３を保持しながら後方に動かし、取付部11の両突出板15を隣合う縦長手状部材６間の間隙に挿入した後、手掛け部21から一方の手の指を離す。
【００２９】
手掛け部21から一方の手の指を離すと、取付部11の両突出板15が弾性復元力により元の形状に戻ろうとすることによって、取付部11が格子２の隣合う縦長手状部材６に対して取り付けられる。すなわち、取付部11の凸部分18が弾性復元力に基づいて縦長手状部材６の湾曲板部９の溝部10に密着しこの溝部10に沿って長手方向に移動調節可能でかつ嵌脱可能に嵌合されるとともに、デザイン部12の挟持部12aと取付部11の第２板部17とで縦長手状部材６が前後から挟持される。
【００３０】
こうして複数のデザイン部材３を格子２の縦長手状部材６に取り付け、その後、デザイン部材３を指で挟んで格子２の縦長手状部材６に沿って移動調節して所望の配列パターンに並べる。
【００３１】
このように複数のデザイン部材３を用いることで、格子装置１のデザイン性を良好にでき、しかも、各デザイン部材３の取付部11は格子２の縦長手状部材６にこの縦長手状部材６の長手方向に沿って移動調節可能でかつ脱着可能に取り付けられているので、季節や時代等に応じて使用者の意図によりデザインを簡単に変更でき、さらには、デザイン部材３の並べ方を工夫して文字等を表現することで、広告等にも活用できる。また、デザイン部材３を用いることで、防犯性の向上、プライバシーの保護、風振音の軽減等も図ることができる。
【００３２】
なお、図６に示すように、デザイン部12の略中央部に垂幕等を引っ掛けるためのフック部31を設けてもよい。
【００３３】
また、図７に示すように、格子装置１の前方からではなく、格子装置１の後方からデザイン部材３を格子２の縦長手状部材６に簡単に取り付けることが可能な構成でもよい。
【００３４】
この図７に示すデザイン部材３の取付部11は、デザイン部12の後面における左右方向両端から後方に向って突出し互いに離間対向する左右一対の突出板35にて構成されている。
【００３５】
突出板35は、断面略Ｌ字状のもので、デザイン部12の後面から後方に向って突出しこのデザイン部12に対して直交する第１板部36と、この第１板部36の後端から外側方に向って突出し縦長手状部材６の後側の平面板部８と当接する抜止め用の第２板部37とを有している。第１板部36の外面側つまり縦長手状部材６の湾曲板部９と対向する面側における前後方向中央には、上下方向に延びる長手状で断面略半円状に形成され格子２の縦長手状部材６の湾曲板部９の溝部10にこの溝部10に沿って移動調節可能に係合される係合部分である凸部分38が第１板部36の上端から下端にわたって形成されている。凸部分38は、格子２の縦長手状部材６の湾曲板部９の溝部10に対して、第１板部36の弾性復元力に基づいて密着した状態で、この溝部10に沿って長手方向に移動調節可能、すなわち例えば上下方向にスライド調節可能でかつ嵌脱可能に嵌合されている。
【００３６】
また、突出板35の第１板部16の後端には、格子装置１の後方から取付部11の突出板35を格子２の縦長手状部材６に対して隣合う縦長手状部材６間に嵌め込むようにして取り付ける際に、使用者が手で取付部11の突出板35の第１板部36を内側方に向けて弾性変形させるための手掛け部21が一体に設けられている。この手掛け部21は、第１板部16の後端から連続して後方に向って突出した板部分40にて構成されている。
【００３７】
また、この図７に示すデザイン部材３のデザイン部12は、その一辺の長さ寸法が隣合う縦長手状部材６間の間隙寸法と略同じ正方形状をなす板状に形成されている。
【００３８】
さらに、図８に示すように、隣合う縦長手状部材６間に嵌め込むように取り付けるのではなく、１つの縦長手状部材６に対してこの１つの縦長手状部材６を左右から挟むように取り付ける構成でもよい。
【００３９】
この図８に示すデザイン部材３の取付部11は、デザイン部12の後面における左右方向中央部付近から後方に向って突出し互いに離間対向する左右一対の突出板41にて構成されている。
【００４０】
突出板41は、断面略Ｌ字状のもので、デザイン部12の後面から後方に向って突出しこのデザイン部12に対して直交する第１板部42と、この第１板部42の後端から内側方に向って突出し縦長手状部材６の後側の平面板部８と当接する抜止め用の第２板部43とを有している。第１板部42の内面側つまり縦長手状部材６の湾曲板部９と対向する面側における前後方向中央には、上下方向に延びる長手状で断面略半円状に形成され格子２の縦長手状部材６の湾曲板部９の溝部10にこの溝部10に沿って移動調節可能に係合される係合部分である凸部分44が第１板部42の上端から下端にわたって形成されている。凸部分44は、格子２の縦長手状部材６の湾曲板部９の溝部10に対して、第１板部42の弾性復元力に基づいて密着した状態で、この溝部10に沿って長手方向に移動調節可能、すなわち例えば上下方向にスライド調節可能でかつ嵌脱可能に嵌合されている。
【００４１】
また、突出板41の第１板部42の後端には、格子装置１の後方から取付部11の突出板41を格子２の縦長手状部材６に対してこの縦長手状部材６を左右から挟むようにして取り付ける際に、使用者が手で取付部11の突出板41の第１板部42を外側方に向けて弾性変形させるための手掛け部21が一体に設けられている。この手掛け部21は、第１板部42の後端から連続して後方に向って突出した板部分45にて構成されている。
【００４２】
また、図９（ａ）および（ｂ）に示すように、隣合う縦長手状部材６間に嵌め込むように取り付けることができるとともに、１つの縦長手状部材６に対してこの１つの縦長手状部材６を左右から挟むように取り付けることもできる構成でもよい。
【００４３】
この図９（ａ）および（ｂ）に示すデザイン部材３の取付部11は、図７に示す取付部11の左右一対の突出板35と、図８に示す取付部11の左右一対の突出板41とを有している。
【００４４】
そして、図９（ａ）に示すように、取付部11の突出板35の第１板部36を内側方に向けて一旦弾性変形させることによって、デザイン部材３を２つの隣合う縦長手状部材６に対してこれら隣合う縦長手状部材６間に嵌め込むように取り付けることができる。また、図９（ｂ）に示すように、取付部11の突出板41の第１板部42を外側方に向けて一旦弾性変形させることによって、デザイン部材３を１つの縦長手状部材６に対してこの１つの縦長手状部材６を左右から挟むように取り付けることができる。
【００４５】
また、図１０に示すように、デザイン部材３の取付部11の両突出板15を付勢して取付部11の弾性復元力を補完（補助）する付勢部材であるカバー部材（塞ぎ部材）51を、取付部11の両突出板15間に嵌め込むようにしてもよい。このカバー部材51は、例えば樹脂或いはゴム等にて一体に形成されたもので、板部52と、この板部52から前方に向って突出し互いに離間対向する左右一対の突出板部53とにて構成されている。各突出板部53の先端側には、デザイン部材３の突出板15に突設された係合受部55と係合する爪状の係合部54が形成されている。そして、カバー部材51を取付部11の両突出板15間に嵌め込むと、カバー部材51が取付部11の弾性復元力を補完するため、取付部11の縦長手状部材６に対する密着力が増大し、デザイン部材３を格子２の縦長手状部材６に対して適切に位置決め固定できる。
【００４６】
さらに、図１１に示すように、デザイン部材３の取付部11の両突出板15を付勢して取付部11の弾性復元力を補完（補助）する付勢部材である弾性板部材（弾性部材）61を、取付部11の両手掛け部21間に嵌め込むようにしてもよい。この弾性板部材61は、例えば樹脂或いはゴム等にて一体に形成された板ばねやコイルばね等で、図１１に示されるように湾曲状に弾性変形させて取付部11の両手掛け部21間に嵌め込む。そして、弾性板部材61を取付部11の両手掛け部21間に嵌め込むと、弾性板部材61が取付部11の弾性復元力を補完するため、取付部11の縦長手状部材６に対する密着力が増大し、デザイン部材３を格子２の縦長手状部材６に対して適切に位置決め固定できる。
【００４７】
また、図１２に示すように、格子２の縦長手状部材６の形状が異なり、湾曲板部９に溝部10が形成されていない場合、デザイン部材３の取付部11の凸部分18を覆うようにシート状の滑り止め部材63を取付部11に貼り付けて対応する。滑り止め部材63は、例えば樹脂或いはゴム等にて一体に形成された滑り止めテープ等である。
【００４８】
さらに、図１３に示すように、デザイン部材３を格子２に対して取り付け易くなるように、すなわち例えば取付部11の両突出板15を隣合う縦長手状部材６間の間隙に対して容易に挿入できるように、傾斜状の案内面65を取付部11に形成した構成等でもよい。この案内面65は、突出板15の第１板部（板部）16の後端側から外側方に向って突出する断面略三角形状の突部17aに後面に、第１板部16に対して傾斜状に形成されている。
【００４９】
なお、上記各実施の形態においては、格子装置の例として、ベランダ、バルコニー、外部階段、外部廊下等に用いられる手摺格子装置について説明したが、例えば目隠しスクリーン、ルーバー、ガラリ、フェンス、面格子等、いかなる種類の格子装置でもよい。
【００５０】
また、デザイン部材３を格子２の縦長手状部材６に取り付ける場合について説明したが、例えばデザイン部材を格子の水平方向に細長い長手状部材や水平方向に対して傾斜した方向に細長い長手状部材等に取り付けるようにしてもよく、任意である。
【００５１】
さらに、デザイン部材３を水平方向または上下方向等に複数並べて一体化したもの等でもよい。
【００５２】
また、デザイン部材３は、正方形板状に形成されたものには限定されず、矩形板状、円形板状、六角形板状等、或いは円形環状、矩形環状等に形成されたものでもよく、また、鉛直面に沿った平面状のもの、円弧状に曲がった曲面状のもの、格子２の前面に対して傾斜したもの等でもよい。
【００５３】
さらに、例えば格子２の隣合う縦長手状部材６間を通過する風量を調節できるように、デザイン部材３を取付部11に上下方向軸線を中心として回動調節可能に設けてもよい。
【００５４】
また、断熱性向上のためにデザイン部材３が熱吸収手段を有するようにしてもよい。
【００５５】
さらに、デザイン部材３が植物を育てるための植栽用のスポンジ等を有するものや、デザイン部材３が複数の発光ダイオード等からなる光源および電池等を有するもの等でもよい。
【００５６】
また、取付部11が格子２の縦長手状部材６の溝部10にこの溝部10に沿って移動調節可能に係合される凸部分18等を有する構成について説明したが、例えば格子２の長手状部材の被係合部である凸部にこの凸部に沿って移動調節可能に係合される係合部分である溝部を有する構成等でもよい。
【００５７】
さらに、デザイン部材３は、大小の組み合わせ、または他形状の組み合わせで格子装置１を構成してもよい。
【図面の簡単な説明】
【００５８】
【図１】本発明の一実施の形態に係るデザイン部材の平面図である。
【図２】同上デザイン部材の正面図である。
【図３】同上デザイン部材を格子に取り付ける際に取付部を弾性変形させた状態の平面図である。
【図４】同上デザイン部材を複数具備した格子装置の正面図である。
【図５】同上デザイン部材を複数具備した格子装置の正面図である。
【図６】本発明の他の実施の形態に係るデザイン部材の平面図である。
【図７】本発明のさらに他の実施の形態に係るデザイン部材の平面図である。
【図８】本発明のさらに他の実施の形態に係るデザイン部材の平面図である。
【図９】本発明のさらに他の実施の形態に係るデザイン部材の平面図である。
【図１０】デザイン部材の取付部の弾性復元力を補完するカバー部材を取り付けた状態の平面図である。
【図１１】デザイン部材の取付部の弾性復元力を補完する弾性板部材を取り付けた状態の平面図である。
【図１２】デザイン部材の取付部に滑り止め部材を取り付けた状態の平面図である。
【図１３】デザイン部材の取付部に案内面を形成した場合の平面図である。
【符号の説明】
【００５９】
１    格子装置
２    格子
３    デザイン部材
６    長手状部材である縦長手状部材
10    被係合部である溝部
11    取付部
12    デザイン部
18，38，44    係合部分である凸部分
21    手掛け部
【図１】
2008025170.tif 000003
【図２】
2008025170.tif 000004
【図３】
2008025170.tif 000005
【図４】
2008025170.tif 000006
【図５】
2008025170.tif 000007
【図６】
2008025170.tif 000008
【図７】
2008025170.tif 000009
【図８】
2008025170.tif 000010
【図９】
2008025170.tif 000011
【図１０】
2008025170.tif 000012
【図１１】
2008025170.tif 000013
【図１２】
2008025170.tif 000014
【図１３】
2008025170.tif 000015